(57)【要約】  【課題】  低消費電力化を図るとともに使用性を向上できるディスク再生装置を提供する。  【解決手段】  ディスクＤに記録された情報を読み出す光ピックアップ２と、光ピックアップ２により読み出した情報をメモリ７に書き込むとともにメモリ７に書き込まれた情報を書込みから所定の遅延期間だけ遅延して読み出すメモリ制御回路６と、メモリ制御回路６により読み出された情報を受け取って再生信号を出力する出力手段８、９とを備え、メモリ７のバッファ領域２２に格納された読み出し前の情報が光ピックアップ２による読出しエラー時のバッファとなるディスク再生装置１において、メモリ７の読出し済領域２１に格納された読み出し済みの情報をメモリ制御回路６により読み出してリピート再生を行う。【選択図】      図２
2005285203.tif 000002
【特許請求の範囲】
【請求項１】
ディスクに記録された情報を読み出すディスク読出し手段と、前記ディスク読出し手段により読み出した情報をメモリに書き込むメモリ書込み手段と、前記メモリに書き込まれた情報を書込みから所定の遅延期間だけ遅延して読み出すメモリ読出し手段と、前記メモリ読出し手段により読み出された情報を受け取って再生信号を出力する出力手段とを備え、前記メモリに格納された読み出し前の情報が前記ディスク読出し手段による読出しエラー時のバッファとなるディスク再生装置において、前記メモリに格納された読み出し済みの情報を前記メモリ読出し手段により読み出してリピート再生を行うことを特徴とするディスク再生装置。
【請求項２】
リピート再生する情報の少なくとも一部が前記メモリに格納された読み出し済みの情報に含まれない場合に、前記ディスク読出し手段によりディスクから情報を読み出すことを特徴とする請求項１に記載のディスク再生装置。
【請求項３】
リピート再生する情報の一部が前記メモリに格納された読み出し済みの情報に含まれない場合に、前記メモリ読出し手段により読み出し済みの情報の先頭から読み出すことを特徴とする請求項１に記載のディスク再生装置。
【請求項４】
前記遅延期間をユーザ設定できることを特徴とする請求項１〜請求項３のいずれかに記載のディスク再生装置。
【請求項５】
ディスク再生装置の振動を検出する振動検出手段を設け、前記振動検出手段の検出結果に応じて前記遅延期間を可変したことを特徴とする請求項１〜請求項４のいずれかに記載のディスク再生装置。
【請求項６】
前記メモリ読出し手段による読み出し済みの情報を格納した読出し済領域の大きさと、読み出し前の情報を格納したバッファ領域の大きさとの和、に対する読出し済領域の大きさまたはバッファ領域の大きさの比率を表示する表示部を備えたことを特徴とする請求項４または請求項５に記載のディスク再生装置。
【発明の詳細な説明】
【技術分野】
【０００１】
本発明は、ディスクに記録された情報を再生するディスク再生装置に関し、特にリピート再生可能なディスク再生装置に関する。
【背景技術】
【０００２】
ＭＤ、ＣＤ、ＤＶＤ等のディスクを再生するディスク再生装置はディスクに書き込まれた情報を読み出す光ピックアップを有している。光ピックアップで読み出した情報は出力手段により音声信号や映像信号等の再生信号に変換して出力される。
【０００３】
光ピックアップと出力手段との間には情報を格納するメモリが設けられる。メモリは光ピックアップで読み出された情報を一時格納し、メモリに書き込まれた情報が所定の遅延期間経過後に取り出され、出力手段に送られる。振動等によって光ピックアップの読出しエラーが発生すると、遅延期間に書き込まれた情報を取り出して再生する。これにより、メモリは光ピックアップの読出しが成功するまでの間のバッファとなり、振動等が発生しても音楽や映像を途切れることなく再生できるようになっている。
【０００４】
また、特許文献１にはリピート再生機能を有するディスク再生装置が開示されている。このディスク再生装置は予めユーザによりディスク上の区間が設定され、光ピックアップにより設定区間を繰り返しトレースして繰り返し再生を行う。また、一部の区間の情報をメモリに格納して光ピックアップが開始位置に戻る際に情報をメモリから取り出して再生する。これにより、光ピックアップの移送中の再生中断を防止するようになっている。
【特許文献１】実開昭６４−２８５６２号公報
【発明の開示】
【発明が解決しようとする課題】
【０００５】
しかしながら、上記従来のディスク再生装置によると、リピート再生する際に光ピックアップによりディスクの情報が読み出されるため、移送や読出しに大きな電力を必要とする。このため、特にポータブル機器にディスク再生装置を搭載した際に電力不足となる問題があった。また、リピート再生する際に光ピックアップの移送時間やメモリ読出しの遅延期間が必要になる。このため、短時間のリピート再生を行うと再生時間よりも中断時間の方が長くなり、ディスク再生装置の使用性が悪い問題もあった。
【０００６】
本発明は、低消費電力化を図るとともに使用性を向上できるディスク再生装置を提供することを目的とする。
【課題を解決するための手段】
【０００７】
上記目的を達成するために本発明は、ディスクに記録された情報を読み出すディスク読出し手段と、前記ディスク読出し手段により読み出した情報をメモリに書き込むメモリ書込み手段と、前記メモリに書き込まれた情報を書込みから所定の遅延期間だけ遅延して読み出すメモリ読出し手段と、前記メモリ読出し手段により読み出された情報を受け取って再生信号を出力する出力手段とを備え、前記メモリに格納された読み出し前の情報が前記ディスク読出し手段による読出しエラー時のバッファとなるディスク再生装置において、前記メモリに格納された読み出し済みの情報を前記メモリ読出し手段により読み出してリピート再生を行うことを特徴としている。
【０００８】
この構成によると、光ピックアップ等から成るディスク読出し手段によりディスクに書き込まれた情報が読み出され、メモリ書込み手段によりメモリに順次書き込まれる。メモリに書き込まれた情報はメモリ読出し手段により書込みから所定の遅延期間だけ遅延して順次読み出され、出力手段により音声信号や映像信号等から成る再生信号が出力される。これにより、音楽や映像が再生される。遅延期間の経過はメモリに書き込まれた情報量により認識される。
【０００９】
メモリ上にはメモリ書込み手段により順次書き込まれてメモリ読出し手段による読み出し前の情報が格納されたバッファ領域と、メモリ読出し手段による読出し済みの情報を格納してメモリ書込み手段による新たな書込み前の読出し済領域が形成される。ディスク再生装置の振動等によりディスク読出し手段の読出しエラーが発生すると、遅延期間に書き込まれた情報をメモリ読出し手段により取り出して再生する。これにより、メモリはディスク読出し手段の読出しが成功するまでの間のバッファとなり、振動等が発生しても音楽や映像が途切れることなく再生される。
【００１０】
所定の区間を繰り返し再生するリピート再生が予め設定されている場合やリピート再生の指示があった場合には、メモリの読出し済領域の情報がメモリ読出し手段により読み出され、出力手段により再生される。
【００１１】
また本発明は、上記構成のディスク再生装置において、リピート再生する情報の少なくとも一部が前記メモリに格納された読み出し済みの情報に含まれない場合に、前記ディスク読出し手段によりディスクから情報を読み出すことを特徴としている。この構成によると、例えば、指定されたリピート再生の先頭位置が読出し済領域の先頭よりも前の場合にはメモリ上に情報がないため、ディスク読出し手段によりディスクから情報を読み出してメモリを介して出力手段により再生される。
【００１２】
また本発明は、上記構成のディスク再生装置において、リピート再生する情報の一部が前記メモリに格納された読み出し済みの情報に含まれない場合に、前記メモリ読出し手段により読み出し済みの情報の先頭から読み出すことを特徴としている。この構成によると、例えば、指定されたリピート再生の先頭位置が読出し済領域の先頭よりも前の場合に、メモリ読出し手段により読出し済領域の先頭から情報を読み出して出力手段により再生される。
【００１３】
また本発明は、上記構成のディスク再生装置において、前記遅延期間をユーザ設定できることを特徴としている。この構成によると、ディスクや振動等の状態に応じてユーザによりバッファ領域の大きさが可変される。
【００１４】
また本発明は、上記構成のディスク再生装置において、ディスク再生装置の振動を検出する振動検出手段を設け、前記振動検出手段の検出結果に応じて前記遅延期間を可変したことを特徴としている。この構成によると、例えば、振動検出手段の検出結果により振動が大きいとバッファ領域が拡大され、振動が小さいとバッファ領域を縮小して読出し済領域が拡大される。
【００１５】
また本発明は、上記構成のディスク再生装置において、前記メモリ読出し手段による読み出し済みの情報を格納した読出し済領域の大きさと、読み出し前の情報を格納したバッファ領域の大きさとの和、に対する読出し済領域の大きさまたはバッファ領域の大きさの比率を表示する表示部を備えたことを特徴としている。
【発明の効果】
【００１６】
本発明によると、メモリに格納された読み出し済みの情報をメモリ読出し手段により読み出してリピート再生を行うので、光ピックアップ等から成るディスク読出し手段の移送や読出しによる電力を削減することができ、ディスク再生装置の低消費電力化を図ることができる。これにより、特にポータブル機器にディスク再生装置を搭載した際の電力不足を低減することができる。
【００１７】
また、リピート再生時にディスク読出し手段の移送時間やメモリ読出しの遅延期間を必要とせず、直ぐに再生を開始することができるため、特に短時間のリピート再生での使用性を向上することができる。更に、振動等によるディスク情報の読み出しエラーのバッファとなるメモリからリピート再生する情報を取り出すので別途メモリを必要とせず、コスト増加を抑制することができる。
【００１８】
また本発明によると、リピート再生する情報の少なくとも一部が前記メモリに格納された読み出し済みの情報に含まれない場合に、ディスク読出し手段によりディスクから情報を読み出すので、長時間のリピート再生時には従来と同様の使用性を確保することができる。
【００１９】
また本発明によると、リピート再生する情報の一部が前記メモリに格納された読み出し済みの情報に含まれない場合に、メモリ読出し手段により読み出し済みの情報の先頭から読み出すので、語学学習等のためにリピート再生の開始位置を指定する戻り操作が誤って長くなっても短時間のリピート再生を迅速に行うことができる。
【００２０】
また本発明によると、遅延期間をユーザ設定できるので、通常再生時の中断に対するマージンと、迅速なリピート再生を行える再生時間とをディスクや振動等の状態に応じて最適に設定することができる。
【００２１】
また本発明によると、振動検出手段の検出結果に応じて遅延期間を可変したので、通常再生時の中断に対するマージンと、迅速なリピート再生を行える再生時間とを振動の状況に応じて自動的に最適に設定され、ディスク再生装置の使用性が向上する。
【００２２】
また本発明によると、読出し済領域の大きさとバッファ領域の大きさとの和に対する読出し済領域の大きさまたはバッファ領域の大きさの比率表示する表示部を備えたので、可変した通常再生時の中断に対するマージンまたは迅速なリピート再生を行える再生時間を容易に認識することができる。
【発明を実施するための最良の形態】
【００２３】
以下に本発明の実施形態を図面を参照して説明する。図１は一実施形態のディスク再生装置の構成を示すブロック図である。ディスク再生装置１はディスクＤを回転駆動するスピンドルモータ１４と光ピックアップ２を移送する送りモータ１６を有している。光ピックアップ２にはディスクＤに追随して微小な移動を行うアクチュエータ１５が設けられている。スピンドルモータ１４、アクチュエータ１５及びモータ１６はドライバ回路１３により駆動される。ドライバ回路１３はマイコン１２により制御されている。
【００２４】
光ピックアップ２はディスクＤに光を照射して反射光を受光することによりディスクＤに書き込まれた情報を読み出すディスク読出し手段を構成する。光ピックアップ２には読み出した信号を増幅するＲＦアンプ３が接続される。ＲＦアンプ３にはＲＦアンプ３から出力されるアナログ信号をＡ／Ｄ変換するＡ／Ｄコンバータ４が接続される。
【００２５】
Ａ／Ｄコンバータ４には光ピックアップ２により読み出した信号を復調する信号処理回路５が接続される。信号処理回路５にはメモリ制御回路６が接続される。メモリ制御回路６は信号処理回路５から受け取った情報をメモリ７に書き込んで一時格納するとともに、メモリ７から情報を読み出す。従って、メモリ制御回路６によりメモリ書込み手段及びメモリ読出し手段が構成される。信号処理回路５及びメモリ制御回路６はマイコン１２に接続されており、マイコン１２の制御により動作する。
【００２６】
メモリ制御回路６には伸張回路８が接続される。伸張回路８はＭＤに記録される音声データ等の圧縮された情報を伸張する。音楽ＣＤ等の記録時に情報が圧縮されないディスクを再生するディスク再生装置の場合は伸張回路８が省かれる。伸張回路８には伸張回路８から出力されるデジタル信号をＤ／Ａ変換するＤ／Ａコンバータ９が接続され、Ｄ／Ａコンバータ９からアナログの音声信号や映像信号等の再生信号を出力する。Ｄ／Ａコンバータ９にはスピーカ１０やディスプレイ（不図示）が接続される。これにより、音楽や映像が再生される。
【００２７】
また、マイコン１２には操作キー１１、表示装置１７及び振動センサ（振動検出手段）１８が接続されている。操作キー１１はユーザ操作を行ってディスクＤを再生する条件設定や指示が行われる。表示装置１７は液晶パネル等から成り、ディスク再生装置１の条件設定画面や動作状態等を表示する。振動センサ１８はディスク再生装置１の振動を検出してその情報をマイコン１２に送信する。
【００２８】
図２はメモリ７のメモリマップを示している。メモリ７はメモリ制御回路６により先頭から順次情報が書き込まれ、書込み位置Ａが図中、下方に移動する。メモリ７の最後まで情報が書き込まれると矢印Ｃに示すように先頭に戻って書込みが行われる。メモリ７に書き込まれた情報はメモリ制御回路６により書込みから遅延期間（Ｔ２＋Ｔ３）だけ遅延して順次情報が読み出され、読出し位置Ｂが図中、下方に移動する。これにより、メモリ７上には情報を読出し済みの読出し済領域２１と、情報を読み出す前のバッファ領域２２とが形成される。遅延期間は書込み開始から書き込まれた情報量によって決められる。
【００２９】
図３はメモリ制御回路６の内部構成を示すブロック図である。メモリ制御回路６には読出し済領域２１の大きさＴ１を可変する読出し済領域調整回路３１が設けられている。読出し済領域調整回路３１には遅延期間を設定する遅延期間設定部３２が設けられる。これにより、後述するように振動等に対する安全マージンを可変することができる。
【００３０】
図４、図５は上記構成のディスク再生装置１の動作を示すフローチャートである。ディスク再生装置１はディスクＤの再生時に、マイコン１２の制御によってディスクＤから情報を読み出してメモリ７に書き込むディスク読出し処理と、メモリ７から情報を読み出して再生する再生処理とが並行して行われるようになっている。
【００３１】
メモリ７には書込み位置Ａ及び読出し位置Ｂのアドレス情報を記憶する領域が設けられている。情報が記録されたディスクＤを装着して操作キー１１により再生が指示されると、ディスク読出し処理のステップ＃１１及び再生処理のステップ＃２１でメモリ７の書込み位置Ａ及び読出し位置Ｂが初期化される。
【００３２】
ステップ＃１２ではスピンドルモータ１４の駆動によりディスクＤが回転し、送りモータ１６及びアクチュエータ１５の駆動により光ピックアップ２が所定位置に配置される。そして、光ピックアップ２によりディスクＤから情報が読み出される。ステップ＃１３ではディスクＤの情報の読み出しエラーが発生したか否かが判断される。読出しエラーが発生した場合はステップ＃１２に戻ってディスクＤの読み出しが正常に読み出されるまで繰り返し行われる。
【００３３】
読出しエラーが発生しなかった場合はステップ＃１４に移行する。ステップ＃１４では光ピックアップ２で読み出された情報がＲＦアンプ３で増幅され、Ａ／Ｄコンバータ４でデジタル信号に変換される。変換された情報は信号処理回路で復調され、メモリ制御回路６によってメモリ７に書き込まれる。
【００３４】
ステップ＃１５ではメモリ７の書込み位置Ａのアドレス情報が更新される。ステップ＃１６ではディスクＤの最後まで読出しが終了したか否かが判断される。ディスクＤの最後まで読み出していない場合はステップ＃１２に戻り、光ピックアップ２による情報の読出しが順次行われ、それに伴ってメモリ７の書込みも順次行われる。ディスクＤの最後まで読出しが終了した場合はディスク読出し処理が終了する。
【００３５】
図５の再生処理のステップ＃２２ではメモリ７に情報が書き込まれてから遅延期間だけ経過するまで待機する。遅延期間が経過するとステップ＃２３でメモリ７に読み出し前の情報があるか否かが判断される。読み出し前の情報がある場合はステップ＃２４に移行してメモリ制御回路６によりメモリ７から情報が読み出される。ステップ＃２５では読出し位置Ｂのアドレス情報が更新される。
【００３６】
ステップ＃２６ではメモリ７から読み出された情報が伸張回路８によって伸張され、Ｄ／Ａコンバータ９によりアナログの音声信号や映像信号等の再生信号に変換される。再生信号はスピーカ１０やディスプレイ（不図示）に出力され、音楽や映像が再生される。
【００３７】
また、ディスク再生装置１の振動等によって光ピックアップ２によるディスクＤの情報を読み出す際のエラーが発生した場合には、ステップ＃２４で遅延期間に書き込まれた情報をメモリ７から取り出して再生する。これにより、メモリ７は光ピックアップ２の読み出しが成功するまでの間のバッファとなり、振動等が発生しても音楽や映像を途切れることなく再生できるようになっている。
【００３８】
尚、ディスクＤの読出しエラーによってバッファ領域２２の情報を読み出してしまい、ステップ＃２３でメモリ７に読み出し前の情報がないと判断した場合はステップ＃２２に戻って遅延期間が経過するまで待機する。
【００３９】
ディスク再生装置１は一度再生した区間を繰り返し再生するリピート再生が可能になっている。リピート再生には以下のような各モードが設けられている。
【００４０】
（１）予めユーザ設定された区間を繰り返し再生するモード
（２）予めユーザ設定された１曲または複数曲を繰り返し再生するモード
（３）再生中のユーザ操作により曲の先頭に戻って再生するモード
（４）再生中のユーザ操作によりディスクの先頭に戻って再生するモード
（５）再生中にユーザが指定する所定の量に相等する区間だけ戻って再生するモード
【００４１】
ステップ＃２７では上記（３）〜（５）の各モードによるリピート再生の指示があったか否かが判断される。リピート再生の指示があった場合はステップ＃２８で後述するリピート再生処理に移行する。リピート再生の指示がない場合はステップ＃２９に移行して再生する音楽や映像のデータが最後か否かかが判断される。音楽や映像のデータが最後でない場合はステップ＃２３に戻り、ステップ＃２３〜＃２９が繰り返し行われる。
【００４２】
ステップ＃２９で再生する音楽や映像のデータが最後になった場合はステップ＃３０に移行する。ステップ＃３０では上記（１）、（２）の各モードによるリピート再生が予め設定されているか否かが判断される。リピート再生が設定されている場合はステップ＃３１で後述するリピート再生処理に移行する。リピート再生が設定されていない場合は再生処理を終了する。
【００４３】
ステップ＃２８及びステップ＃３１では図６に示すリピート再生処理が呼び出される。リピート再生処理のステップ＃５１ではリピート再生を行う音楽や映像の先頭情報Ｍ（図２参照）がメモリ７の読出し済領域２１にあるか否かが判断される。読出し済領域２１に先頭情報Ｍがある場合はステップ＃５２に移行し、読出し位置Ｂのアドレス情報は先頭情報Ｍが記憶された位置のアドレス情報に書き換えられる。
【００４４】
ステップ＃５５では読出し位置Ｂのアドレス情報に基づいてメモリ制御回路６によりメモリ７から情報が読み出される。ステップ＃５６では読出し位置Ｂのアドレス情報が更新される。ステップ＃５７ではメモリ７から読み出された情報が伸張回路８によって伸張され、Ｄ／Ａコンバータ９によりアナログの音声信号や映像信号等の再生信号に変換される。再生信号はスピーカ１０やディスプレイ（不図示）に出力され、音楽や映像が再生される。
【００４５】
ステップ＃５８ではリピート再生の末尾の情報の再生が終了したか否かが判断される。リピート再生の末尾の再生が終了していない場合は、ステップ＃５９で読出し済領域２１の最後の情報が再生されたか否かが判断される。読出し済領域２１の最後の情報が再生されていない場合はステップ＃５５に戻ってステップ＃５５〜＃５９が繰り返し行われる。これにより、リピート区間Ｋ（図２参照）のリピート再生が行われる。
【００４６】
リピート再生の末尾は通常、読出し済領域２１の最後に一致する。しかし、上記（１）、（２）のモードでリピート再生の終了位置がユーザ設定されている場合や、上記（３）のモードで曲の途中でリピート再生が指示された場合は、リピート再生の末尾と読出し済領域２１の最後とが一致しない。
【００４７】
この時、リピート再生の末尾が読出し済領域２１にある場合は、ステップ＃５８の判断により図５の再生処理のフローチャートに戻る。また、リピート再生の末尾が読出し済領域２１にない場合はステップ＃５９の判断により図５の再生処理のフローチャートに戻る。
【００４８】
ステップ＃２８のリピート処理を抜けて戻る場合は、通常の再生と同様にディスクＤから読み取って再生が継続されるようになっている。ステップ＃３１のリピート処理を抜けて戻る場合は、ステップ＃３２でリピート終了命令があったか否か判断される。リピート終了命令がない場合はステップ＃３１に戻って再度リピート処理を行う。リピート終了命令があった場合は再生を終了する。リピート終了命令は、ユーザーによる操作キー１１の操作や、予め指定したリピート回数の終了等により与えられる。
【００４９】
ステップ＃５１において、読出し済領域２１にリピート再生の先頭情報Ｍがない場合はステップ＃５３に移行する。ディスク再生装置１はリピート再生の先頭情報Ｍがメモリ７にない場合に、強制的に読出し済領域２１に格納された情報を取り出して再生する強制再生を行うか否かをユーザ設定できるようになっている。
【００５０】
強制再生を行わない設定の場合はステップ＃６０に移行して図４、図５のディスク読出し処理及び再生処理が呼び出される。これにより、通常の再生と同様にディスクＤから情報を読み出してリピート再生が行われる。従って、長時間のリピート再生時に従来と同様の使用性を確保することができる。
【００５１】
強制再生を行う設定の場合はステップ＃５４に移行して、読出し位置Ｂのアドレス情報が読出し済領域２１の開始位置のアドレス情報に書き換えられる。読出し済領域２１の開始位置のアドレス情報は書込み位置Ａの次のアドレスになっている。そして、上記と同様にステップ＃５５〜＃５９によって強制的にメモリ７から情報を読み出してリピート再生が行われる。
【００５２】
これにより、上記（５）のモードにおいて例えば戻りボタンを押下してリピート再生する場合に、語学学習等で誤って戻りボタンを長く押下しても直前の読出し済領域２１内の情報が再生される。従って、短時間のリピート再生を迅速に行うことができる。
【００５３】
また、操作キー１１を操作すると、読出し済領域調整回路３１の遅延期間設定部３２によって遅延期間を可変することができる。例えば、ディスクＤに傷がある場合等に操作キー１１を操作して遅延期間が可変される。即ち、遅延期間を大きくすると通常の読出し済領域２１の大きさＴ１（図２参照）よりも図７に示すように読出し済領域２１の大きさｔ１が小さくなるとともにバッファ領域２２が大きくなって読取エラーに対する安全マージンが大きくなる。従って、ディスクＤの傷等があっても音楽や映像を途切れることなく再生することができる。
【００５４】
また、振動センサ１８により検出した振動の大きさに応じて遅延期間を可変してもよい。即ち、振動センサ１８により検出されたディスク再生装置１の振動が所定値よりも大きい場合は図７に示すように読出し済領域２１の大きさｔ１を小さくする。これにより、ディスクＤの読取エラーに対する安全マージンを大きくして音楽や映像を途切れることなく再生することができる。
【００５５】
振動センサ１８により検出されたディスク再生装置１の振動が所定値よりも小さい場合は図２に示すように読出し済領域２１の大きさＴ１を大きくする。これにより、ディスクＤの読取エラーに対する安全マージンを小さくしても音楽や映像を途切れることなく再生できるとともに、長い区間の情報をメモリ７から読み出して迅速にリピート再生を行うことができる。
【００５６】
また、操作キー１１の操作や振動センサ１８の検出結果に応じて遅延期間が可変されるため、読出し済領域２１またはバッファ領域２２の大きさを把握できるように表示装置１７により表示されるようになっている。即ち、読出し済領域２１の大きさと、バッファ領域２２の大きさとの和、に対するバッファ領域２２の大きさの比率（図２の場合は、（Ｔ２＋Ｔ３）／（Ｔ１＋Ｔ２＋Ｔ３））を表示する。これにより、安全マージンの大きさをユーザが把握することができる。
【００５７】
また、読出し済領域２１の大きさと、バッファ領域２２の大きさとの和、に対する読出し済領域２１の大きさ（図２の場合は、Ｔ１／（Ｔ１＋Ｔ２＋Ｔ３））を表示してもよい。これにより、メモリ７から読み出して迅速なリピート再生できる情報量をユーザが把握することができる。
【００５８】
本実施形態によると、メモリ７の読出し済領域２１の情報をメモリ制御回路６により読み出してリピート再生を行うので、光ピックアップ２の移送や読出しによる電力を削減することができ、ディスク再生装置１の低消費電力化を図ることができる。また、リピート再生時に光ピックアップ２の移送時間やメモリ７の読出しの遅延期間（Ｔ２＋Ｔ３）を必要とせず、直ぐに再生を開始することができるため、特に短時間のリピート再生での使用性を向上することができる。更に、振動等によるディスク情報の読み出しエラーのバッファとなるメモリ７からリピート再生する情報を取り出すので別途メモリを必要とせず、コスト増加を抑制することができる。
【産業上の利用可能性】
【００５９】
本発明は、ＭＤ、ＣＤ、ＣＤ−Ｒ、ＣＤ−ＲＷ、ＤＶＤ、ＤＶＤ−Ｒ、ＤＶＤ−ＲＷ、ＤＶＤ＋Ｒ、ＤＶＤ＋ＲＷ、ＤＶＤ−ＲＡＭ、ブルーレイディスク、ＨＤ  ＤＶＤ等のディスクに記録された情報のリピート再生を行うことのできるディスク再生装置に用いることができる。
【図面の簡単な説明】
【００６０】
【図１】本発明の実施形態のディスク再生装置を示すブロック図
【図２】本発明の実施形態のディスク再生装置のメモリのメモリマップ
【図３】本発明の実施形態のディスク再生装置のメモリ制御装置を示すブロック図
【図４】本発明の実施形態のディスク再生装置のディスク読出し処理の動作を示すフローチャート
【図５】本発明の実施形態のディスク再生装置の再生処理の動作を示すフローチャート
【図６】本発明の実施形態のディスク再生装置のリピート再生処理の動作を示すフローチャート
【図７】本発明の実施形態のディスク再生装置のメモリの読出し済領域の大きさを可変した状態を説明するメモリマップ
【符号の説明】
【００６１】
１    ディスク再生装置
２    光ピックアップ
３    ＲＦアンプ
４    Ａ／Ｄコンバータ
５    信号処理回路
６    メモリ制御装置
７    メモリ
８    伸張回路
９    Ｄ／Ａコンバータ
１０    スピーカ
１１    操作キー
１２    マイコン
１８    振動センサ
２１    読出し済領域
２２    バッファ領域
Ｄ    ディスク
【図１】
2005285203.tif 000003
【図２】
2005285203.tif 000004
【図３】
2005285203.tif 000005
【図４】
2005285203.tif 000006
【図５】
2005285203.tif 000007
【図６】
2005285203.tif 000008
【図７】
2005285203.tif 000009